(57)【要約】    【課題】  目地部のひび割れ。    【構成】  建築物の外壁又は内壁に壁面材１、１を突合せて打付けて壁面材１、１の合せ部２の表面側にハ状又はＶ状に広がる目地溝４を有する目地部３を形成し、該目地部３の目地溝４にジョイントセメントまたはパテ５を充填して平滑にし、次に、ジョイントセメントまたはパテ５の表面側にテープ６を接着し、前記テープ６はメッシュ状あるいは面状に形成し、前記テープ６は、裏面側（壁面側）に粘着剤８を全面塗布又は含浸させ表側まで滲み出させた目地処理方法。【選択図】    図５
2005036562.tif 000002
【特許請求の範囲】
【請求項１】
建築物の外壁又は内壁に壁面材１、１を突合せて打付けて壁面材１、１の合せ部２の表面側にハ状又はＶ状に広がる目地溝４を有する目地部３を形成し、該目地部３の目地溝４にジョイントセメントまたはパテ５を充填して平滑にし、次に、ジョイントセメントまたはパテ５の表面側にテープ６を接着する目地処理方法。
【請求項２】
建築物の外壁又は内壁に壁面材１、１を突合せて打付け、該壁面材１、１の合せ部２の端面は略直角形状に形成してハ状又はＶ状に広がる目地溝４を有しない目地部３を形成し、該目地部３の左右の壁面材１に生じる段差２０にジョイントセメントまたはパテ５を充填して平滑にし、次に、ジョイントセメントまたはパテ５の表面側にテープ６を接着する目地処理方法。
【請求項３】
請求項１または請求項２において、前記テープ６はメッシュ状あるいは面状に形成して目地処理方法。
【請求項４】
請求項１または請求項２または請求項３において、前記テープ６は、裏面側（壁面側）に粘着剤８を全面塗布又は含浸させ表側まで滲み出させた目地処理方法。
【請求項５】
請求項１または請求項２または請求項３または請求項４において、前記テープ６の表面にパテ類は塗らずに弾性塗料１５を塗布する目地処理方法。
【発明の詳細な説明】
【技術分野】
【０００１】
本発明は、目地処理方法に関するものである。
【背景技術】
【０００２】
従来の目地処理方法は、図１２、１３のような構成であり、壁面材ａと壁面材ａとの合せ部ｂの目地部ｃは一般的にはＶ字又はハ状に面取り加工が施されており、この目地部ｃの表面にテープ本体ｄを接着した後、テープ本体ｄの網目を通して、石膏ボード用目地処理材（以下、ジョイントセメントという）または合成樹脂エマルジョンパテ（以下、パテという）ｅをヘラで数回塗って目地部を充填してから、更に表面に仕上パテを塗って仕上げしていた。
【特許文献１】実開昭５１−１２３３４号公報
【発明の開示】
【発明が解決しようとする課題】
【０００３】
前記公知例では、テープが粘着剤により壁面材に固定されるので、壁面材へのパテ接着作業とパテ扱き作業とを一工程にしているが、そのため、テープの表側の編み目から目地溝にジョイントセメントまたはパテを擦り込むことになり、擦り込むときの圧力がテープの接着力より大きくなることで、テープの中央部が目地溝の奥側に撓むことになり、この撓み分が「弛み」となり、テープに弛みがあるとテープの補強効果が失われ、目地左右の壁面材に開きが生じ、その分テープの弛みが目地溝の上側に移動し、このテープの移動に対して固く硬化しているジョイントセメントまたはパテは追随できないのでひび割れが発生するという課題がある。
【課題を解決するための手段】
【０００４】
本発明は、テープ６の弛みの発生を防止してひび割れの原因を本質的に除去する目地処理方法を提供するものであり、建築物の外壁又は内壁に壁面材１、１を突合せて打付けて壁面材１、１の合せ部２の表面側にハ状又はＶ状に広がる目地溝４を有する目地部３を形成し、該目地部３の目地溝４にジョイントセメントまたはパテ５を充填して平滑にし、次に、ジョイントセメントまたはパテ５の表面側にテープ６を接着する目地処理方法としたものである。
また、本発明は、建築物の外壁又は内壁に壁面材１、１を突合せて打付け、該壁面材１、１の合せ部２の端面は略直角形状に形成してハ状又はＶ状に広がる目地溝４を有しない目地部３を形成し、該目地部３の左右の壁面材１に生じる段差２０にジョイントセメントまたはパテ５を充填して平滑にし、次に、ジョイントセメントまたはパテ５の表面側にテープ６を接着する目地処理方法としたものである。
また、本発明は、前記テープ６はメッシュ状あるいは面状に形成して目地処理方法としたものである。
また、本発明は、前記テープ６は、裏面側（壁面側）に粘着剤８を全面塗布又は含浸させ表側まで滲み出させた目地処理方法としたものである。
また、本発明は、前記テープ６の表面にパテ類は塗らずに弾性塗料１５を塗布する目地処理方法としたものである。
【発明の効果】
【０００５】
請求項１の発明では、予め平滑にした目地溝４のジョイントセメントまたはパテ５にテープ６を接着するので、弛みの発生を防止してひび割れの原因を本質的に除去できる。
請求項２の発明では、目地部３の目地溝４に充填するジョイントセメントまたはパテ５を省略でき、工程工数を減少させてコストを低くできる。
請求項３の発明では、予め目地溝４または段差２０にジョイントセメントまたはパテ５を充填するので、テープ６の表側からジョイントセメントまたはパテ５を充填させることはなく、メッシュ状あるいは面状のテープ６を使用でき、テープ６選定の自由度を向上させることができる。
請求項４の発明では、テープ６の表側にテープ６を固定するための塗材の接着力を高め、ジョイントセメントまたはパテ５を不要にでき、工程工数を減少させてコストを低くできる。
請求項５の発明では、テープ６を固定するためのジョイントセメントまたはパテ５を不要にできるだけでなく、テープ６を弾力的壁面材１に固定でき、目地部３の変形に対する対応力（追従性）を良好にでき、目地部３を目立たせない。
【実施例１】
【０００６】
本発明の方法を実施する構造を図において説明すると、１はプラスターボード、軽量気泡コンクリート板、セメント押出し成形板、石綿スレート板、珪酸カルシウム板、プレキャストコンクリート板、その他で構成される壁面材であり、建築物の外壁又は内壁に壁面材１、１を突合せて打付けると、壁面材１、１の合せ部２の表面側に目地部３が形成される。
前記壁面材１の合せ部２の表面側の端縁形状は任意であるが、ハ状又はＶ状に形成すると、目地部３にハ状又はＶ状に広がる目地溝４が形成される。
【０００７】
しかして、目地部３の目地溝４には予め充填用のジョイントセメントまたはパテ５を充填して平滑にする。ジョイントセメントまたはパテ５は合成樹脂エマルションパテにより構成すると、付着力があり好適である。
次に、ジョイントセメントまたはパテ５の表面にテープ６を接着する。
即ち、従来は、目地溝４の表側にテープ６を接着後、テープ６の表側から目地溝４にテープの編み目を通してジョイントセメントまたはパテ５を擦り込んで充填させていたため、どうしても、テープ６が弛み、このテープ６の弛みが原因で振動があったりすると、左右の壁面材１が離れ、ジョイントセメントまたはパテ５のひび割れとなる。
【０００８】
そのため、本願では、目地溝４に予めジョイントセメントまたはパテ５を充填させて目地部３を平滑にしてから、ジョイントセメントまたはパテ５の表側にテープ６を接着するので、テープ６の弛みは発生せず、ひび割れの原因を本質的に除去する。
テープ６の構成は任意であるが、一例として、テープ６は、錆付きや劣化の惧れのないアラミド繊維を撚り合わせ、あるいは、無アルカリガラス繊維製メッシュにてテープ本体7 を形成する。また、7 の表側から目地溝４にジョイントセメントまたはパテ５を擦り込む必要がないので、7 はステンレス等の編み目や孔の無い面状テープであってもよい。
【０００９】
テープ６は、テープ本体７の裏面側（壁面側）に粘着剤８を全面塗布又は含浸させ、表面側には僅かに粘着剤８を塗布、あるいは、塗布しないが裏面側の粘着剤８が僅かに滲み出てるようにして、表側に塗る塗材との付着力を高めると同時にテープ本体７の表面側に剥離紙９が粘着固定しうるように構成する。
剥離紙９はテープ本体７と同一幅または幅広く形成する。前記粘着剤８は、耐水形アクリル系、ゴム、ポリエチレン、ウレタン、その他感圧性接着剤を用い、常温で壁面材に接着するものである。
【００１０】
テープ本体７は、メッシュ状の単体（単層構造）のものと、メッシュ状の単体の更にその裏面側の幅方向の中央にはテープ本体７より幅狭く平行に掩蔽フィルム１０を接着して取付けてもよい。掩蔽フィルム１０は透明又は半透明あるいは織物（ネット）状に合成樹脂その他の材料により形成される。
掩蔽フィルム１０は、前記テープ本体７の裏面側に設けた粘着剤８により接着されるが、使用する粘着剤８によっては、掩蔽フィルム１０が接着されにくいことがあるので、掩蔽フィルム１０の表面側に粘着層１１を形成することもある。
【００１１】
また、掩蔽フィルム１０の裏面側に粘着層を形成する場合、掩蔽フィルム１０に全面塗布又は含浸させるか、前記粘着剤８および／または粘着層１１を滲み出るようにして形成しても良い。
テープ６は、掩蔽フィルム１０側が内側（壁面側）となるようにしてテープ本体７ごと普通のセロファンテープのようにロール１２状に巻回し、一端より引伸ばしながら壁面に接着させ、接着後剥離紙９を剥離させて使用する。メッシュ状の単体でテープ本体７を構成した場合、剥離紙９を有するものと有しないものがある。
【００１２】
しかして、剥離紙９を剥離させたテープ６の表面側には、塗料の塗むらを消す程度の弾性エポキシ樹脂等の弾性塗料１５を薄く塗布する。弾性塗料１５はテープ６の壁面材１に対する付着力を強化し、また、テープ６を隠蔽する。また、弾性塗料１５を塗布することで、従来テープ６の表面側に行っていたテープ６を壁面材１に固定するためのパテ塗りを省略でき、しかも、従来のテープ６の固定用のパテ自体の存在がひび割れの原因となるが、本願ではこれに替えて弾性塗料１５を塗布するので、ひび割れをその発生原因から除去してひび割れを防止できる。
【００１３】
しかして、弾性塗料１５の表面側には上塗仕上げ用パテ（図示省略）を塗布し、上塗仕上げ用パテの表面を研磨し、研磨した表面に外壁については防水性のあるポリウレタン系、セメント系、アクリル系その他の仕上げ用塗料１７による塗装、内壁については合成樹脂エマルション等の仕上げ用塗料１７による塗装を施せば、壁面材１、１の合せ部２の目地部３は目立たなくなるすることが簡単にでき、目地部３の痕跡が消えた美麗な壁面をつくることができる。
この場合、壁面材１の壁面を鏡面仕上げにしない場合は、研磨工程が不要となるので弾性塗料１５の表面に直接仕上げ用塗料１７を塗布あるいはクロス貼りなどの仕上げを施せばよい。
【実施例２】
【００１４】
しかして、図８〜図１１は他の実施例を示し、壁面材１の合せ部２の形状を「スクエアエッジ」と呼ばれる略直角面に形成し、左右の壁面材１の合せ部２の目地溝４を形成しない。そのため、目地溝４を埋めるジョイントセメントまたはパテ５を省略でき、トータルコストを低くする。
この場合、合せ部２の形状を「スクエアエッジ」の略直角面に形成して目地溝４を無くしても壁面材１の張付施工時左右の壁面材１が前後（壁面材１の厚み方向）にずれて目地部３に僅かな段差２０が生じるので、該段差２０を解消するために、目地溝４を埋めるためのジョイントセメントまたはパテ５は省略するが、不陸調節用のジョイントセメントまたはパテ５を段差２０に予め充填させ平滑にさせ、その後テープ６を接着する。
【００１５】
次に各実施例の作用を述べる。
建築物の外壁又は内壁に、壁面材１と壁面材１の互いの端面を突合せて打付けると、壁面材１と壁面材１の合せ部２の表側の目地部３には外開きＶ字又はハ状の目地溝４が形成される。
次に、目地部３の目地溝４にジョイントセメントまたはパテ５を充填させ、充填させたジョイントセメントまたはパテ５の硬化を待って目地部３部分の不陸調整して平滑にする。
次に、平滑にしたジョイントセメントまたはパテ５の表面にロール１２状にしたテープ６を引き出して当接させると、簡単に引出されて当接される。
この場合、テープ６のテープ本体７の裏面側には粘着剤８が塗布（含浸）されているので、テープ６は剥離紙９と共にロール１２から引き出すと、そのまま壁面材１、１に接着することができ、その後剥離紙９を剥離させればよい。
【００１６】
しかして、テープ６は平滑にしたジョイントセメントまたはパテ５の表面に接着するので、従来のようにテープ６の表側から目地溝４にジョイントセメントまたはパテ５を擦り込む必要がなく、そのため、テープ６の弛みを発生させないから、接着後にテープ６が弛んで左右の壁面材１が離れてひび割れが発生するのを原因から除去する。
即ち、テープ６は本来伸縮しない材質のテープを使用しているが、従来のようにテープ６の表側から目地溝４にジョイントセメントまたはパテ５を擦り込むと、擦り込むときの圧力がテープ６の接着力より大きくなることで、テープ６の中央部が目地溝４の奥側に撓むことになり、この撓み分が「弛み」となり、テープ６に弛みがあるとテープの補強効果が失われ、目地左右の壁面材に開きが生じ、その分テープ６が弛み目地溝の上側に移動（振動あるいは伸縮）し、このテープ６の移動に対して固く硬化しているジョイントセメントまたはパテ５は追随できないのでひび割れが発生する。
【００１７】
このように、ひび割れはジョイントセメントまたはパテ５の部分で発生し、この原因はテープ６の弛みであるから、本願では目地溝４に予めジョイントセメントまたはパテ５を充填させて平滑にしてから、ジョイントセメントまたはパテ５の表側にテープ６を接着するので、テープ６の弛みは発生せず、ひび割れの原因を本質的に除去できる。
【００１８】
しかして、テープ６の表面側には、弾性エポキシ樹脂や内外用弾性下地処理材等の弾性塗料弾性塗料１５を塗布し、弾性塗料１５の表面にこれを僅かに掩蔽する上塗仕上げ用パテをヘラで施し、その後、その表面に、外壁については防水性のあるポリウレタン系、セメント系、アクリル系その他の塗装、内壁については合成樹脂エマルション塗装、クロス貼りなどの仕上げを施せば、壁面材１、１の合せ部２の目地部３は目立たなくなるすることが簡単にでき、目地部３の痕跡が消えた美麗な壁面をつくることができる。
この場合、上塗仕上げ用パテは、壁面材１の壁面を鏡面仕上げにするための研磨工程が必要な場合に必要量薄く施工すればよく、従来テープ６の表面側に行っていたテープ６を壁面材１に固定するための厚付けパテ塗りとは相違する。
【００１９】
即ち、テープ６の固定用のパテは固定に要する強度がパテの塗厚に関係し、テープ６の上に被りが厚く塗らなければないらないため、研磨用の上塗仕上げ用パテの１０倍以上の量が必要であり、その分、盛り上がって外観が美麗でないばかりでなく、この固定用パテを厚く塗ることが前記のジョイントセメントまたはパテ５と同様にテープ６の表側におけるひび割れの原因になる。
本願では、テープ６自体の粘着剤８および弾性塗料１５により固定用パテが不要となり、シャープでフラットな仕上げとなるだけでなく、作業も容易にして作業時間の短縮に貢献し、しかも、ひび割れの原因となるパテ使用量を可及的に減少させる。
【００２０】
しかして、実施例２では、前記したように、従来では目地部３の目地溝の表面にテープ６を接着後テープ６の表側から目地溝にジョイントセメントまたはパテを刷り込んで充填させても、テープ６の下に十分充填しにくいと同時にジョイントセメントまたはパテが乾燥硬化して痩せるため、充填時に壁面材１の表面のテープの厚さより更にジョイントセメントまたはパテが盛り上がることになるから、目地部３が平滑にならずに目立ってしまう。
【００２１】
しかし、前記したように、本願では、予め目地溝４にジョイントセメントまたはパテ５を充填してから粘着剤８を有するテープ６を接着させ、テープ６の表面に弾性塗料１５を塗布するので、テープ６および弾性塗料１５の部分の厚さをテープの厚み範囲の編み目状テープ本体７の場合は０．０７ｍｍ以下、掩蔽フィルム１０を接着したテープ本体７の場合でも０．１２ｍｍ以下と非常に薄くでき、従来では下張りでのみ使用されていた合せ部２の形状が略直角面の「スクエアエッジ」の壁面材１でも、建築物の外壁又は内壁の上張り用の壁面材１として使用できる。
したがって、壁面材１の合せ部２の目地部３の施工を不要とし、また、左右の壁面材１の合せ部２の目地溝４を形成しないため、目地溝４を埋めるジョイントセメントまたはパテ５も省略でき、工程工数を著しく削減してトータルコストを低くする。
【００２２】
しかして、スクエアエッジ壁面材１では、合せ部２を略直角面に形成して目地溝４を無くしても、左右の壁面材１を建築物の外壁又は内壁に打ちつけると、前後（壁面材１の厚み方向）に僅かにずれて目地部３の左右の壁面材１との間に段差段差２０が生じるので、目地溝４を埋めるジョイントセメントまたはパテ５を省略するが、前記段差２０を解消するために、不陸調節用のジョイントセメントまたはパテ５を段差２０に予め充填させ平滑にさせ、平滑にした段差２０（目地部３）の表面に前記したようにテープ６を接着させる。
【００２３】
この場合でも、段差２０を予めジョイントセメントまたはパテ５により不陸調整するので、段差２０に沿ってテープ６を接着するのに比し弛まずに張れ、この点でもひび割れの原因となるテープ６の弛みを発生させない。
しかして、テープ６を接着後は、弾性塗料１５の塗布等前述の作業と同様に行う。
【図面の簡単な説明】
【００２４】
【図１】壁面材を付き合わせた断面図（実施例１）。
【図２】目地溝にジョイントセメントまたはパテを充填した状態の一例の断面図（実施例１）。
【図３】テープを接着した状態の一例の断面図（実施例１）。
【図４】弾性塗料を塗布した状態の一例の断面図（実施例１）。
【図５】仕上げ用塗料を塗布した状態の一例の断面図（実施例１）。
【図６】テープの製造状態の一例を示す図。
【図７】テープを接着する状態の斜視図。
【図８】壁面材を付き合わせた断面図（実施例２）。
【図９】目地溝にジョイントセメントまたはパテを充填した状態の一例の断面図（実施例２）。
【図１０】テープを接着した状態の一例の断面図（実施例２）。
【図１１】弾性塗料および仕上げ用塗料を塗布した状態の一例の断面図（実施例２）。
【図１２】公知例のテープ本体の外面よりジョイントセメントまたはパテを塗り込む（擦り込む）状態の斜視図。
【図１３】同断面図。
【符号の説明】
【００２５】
１…壁面材、２…合せ部、３…目地部、４…目地溝、７…テープ本体、５…ジョイントセメントまたはパテ、８…粘着剤、９…剥離紙、１０…掩蔽フィルム、１１…粘着層、１５…弾性塗料、１７…仕上げ用塗料、２０…段差。
【図１】
2005036562.tif 000003
【図２】
2005036562.tif 000004
【図３】
2005036562.tif 000005
【図４】
2005036562.tif 000006
【図５】
2005036562.tif 000007
【図６】
2005036562.tif 000008
【図７】
2005036562.tif 000009
【図８】
2005036562.tif 000010
【図９】
2005036562.tif 000011
【図１０】
2005036562.tif 000012
【図１１】
2005036562.tif 000013
【図１２】
2005036562.tif 000014
【図１３】
2005036562.tif 000015